(57)【要約】床マットと、その床マットに取外し可能に係合する縁取り区分または部品とによる区分床マットシステムである。この床マットシステムは、少なくとも１枚のマットと、その少なくとも１枚のマットの側縁部のうちの少なくとも１つにおいて境界を画するのに十分な縁取り材とを含んでいる。多くの実施形態において、複数のマットが存在し且つ互いに連結されているとき、少なくとも１枚のマットのすべての側縁部の境界を画すのに十分な縁取り材がある。本発明の縁取り部品、およびそれらの他の変型は、マットと組み合わせると、ユーザーによる組立てが容易で、必要に応じて分解され、マットの縁部上でのつまずきを抑制する床カバーシステムを提供する。
2010518882.tif 000002
【特許請求の範囲】
【請求項１】
第１の係合要素が具備される側縁部を有する少なくとも１枚の床マットと、
変動する厚さを持つ移行部分と係合部分とを有する縁取り区分であって、前記係合部分は第２の係合要素を備え、前記第２の係合要素は前記第１の係合要素と取外し可能に係合するように構成されている、縁取り区分と、を備える床マットシステム。
【請求項２】
前記床マットはある表面パターンを有し、前記縁取り区分もまた、前記表面パターンを備える、請求項１に記載の床マットシステム。
【請求項３】
前記縁取り区分は、前記表面パターンの列を備える、請求項２に記載の床マットシステム。
【請求項４】
前記第１の係合要素はフック要素であり、前記第２の係合要素は受け部である、請求項１に記載の床マットシステム。
【請求項５】
前記第１の係合要素は受け部であり、前記第２の係合要素はフック要素である、請求項１に記載の床マットシステム。
【請求項６】
前記移行部分は、勾配付きの部分である、請求項１に記載の床マットシステム。
【請求項７】
少なくとも４個のインターロック式床マットを備える、請求項１から６のいずれか一項に記載の床マットシステム。
【請求項８】
少なくとも１個のコーナーピースをさらに備え、前記コーナーピースは移行部分と係合部分とを備える、請求項１に記載の床マットシステム。
【請求項９】
第１の係合要素が具備される側縁部を有する床マットと、
前記床マットの前記側縁部に当接するように構成された縁取り区分であって、変動する厚さを持つ移行部分と係合部分とを有し、前記係合部分は、前記第１の係合要素と取外し可能に係合するように構成された第２の係合要素を備える、縁取り区分との組合わせ体。
【請求項１０】
前記縁取り部品の端縁部に当接するように構成されたコーナーピースをさらに備え、前記コーナーピースは移行部分と係合部分とを有する、請求項９に記載の組合わせ体。
【請求項１１】
ある厚さを有するマットであって、
少なくとも１個の縁部を有する主要区分と、
前記少なくとも１個の縁部に隣接して取外し可能に係合した外辺部区分であって、変動する厚さを有する外辺部区分と、を備え、
前記外辺部区分の厚さは、前記少なくとも１個の縁部に隣接するマット厚さと実質的に同じであり、前記外辺部区分は、前記外辺部区分が前記主要区分の縁部から外向きに延びるときに減少する厚さを有する部分を有する、マット。
【請求項１２】
前記主要区分はあるパターンを有し、前記外辺部区分の一部分もまた前記パターンを備える、請求項１１に記載のマット。
【請求項１３】
マットに使われる外辺部区分であって、前記外辺部区分は前記マットと隣接して取外し可能に係合することが可能であり、
前記外辺部区分は、変動する厚さを有する移行部分と、係合部分とを有し、前記係合部分は前記マットに取外し可能に係合するように構成された係合要素を備えて、構成される外辺部区分。
【請求項１４】
ある厚さと少なくとも１個の縁部とを有するマット区分と、
前記少なくとも１個の縁部に隣接して取外し可能に係合することが可能な外辺部区分であって、変動する厚さを有する外辺部区分と、を含むキットであって、
前記外辺部区分の厚さは、前記少なくとも１個の縁部に隣接するマット厚さと実質的に同じであり、前記外辺部区分の厚さは、前記外辺部区分が前記マット区分の縁部から外向きに延びるにつれて減少する、キット。
【請求項１５】
組立方法が、
ある厚さと少なくとも１個の縁部とを有するマット区分を用意するステップと、
外辺部区分は変動する厚さを有し、前記少なくとも１個の縁部に隣接して前記外辺部区分を取外し可能に取り付けるステップと、を含むモジュール式マット組立方法であって、
前記外辺部区分の厚さは、前記少なくとも１個の縁部に隣接するマット厚さと実質的に同じであり、前記外辺部区分の厚さは、前記外辺部区分が前記主要区分の縁部から外向きに延びるときに減少する、組立方法。
【発明の詳細な説明】
【技術分野】
【０００１】
本開示は、区分床マットの敷設に関し、具体的には区分床マット敷設のための縁取りに関する。
【背景技術】
【０００２】
カーペットおよび絨毯は、長い間、地面、床、および他の表面を覆うために使用されてきた。床カバー材は、床を保護し、埃、泥および水を収集し保持するという点で機能的であるだけでなく、審美的でもある。材料に応じ、床カバー材はまた、クッション性をもたらして表面を軟化させ、それによって使用者に対する応力を緩和することもできる。
【０００３】
床カバー材は、現場で特定の用途に対してデザインしうるモジュールシステムを含むように進化してきた。例えば、１２枚の３０．５ｃｍ×３０．５ｃｍ（約１フィート×１フィート）のインターロック式マットを結合して、６１ｃｍ×１８３ｃｍ（約２フィート×６フィート）かまたは９１．５ｃｍ×１２２ｃｍ（約３フィート×４フィート）のいずれかの１．１ｍ２のマット（約１２平方フィート）を形成することができる。そのようなインターロック式の区分マット敷設は、床マットをカスタマイズするための一般的なシステムである。加えて、そのような区分マット敷設システムを用いると、マット全体を交換する必要なく、摩耗したまたは損傷したマット区分のみを必要なときに交換することが可能となる。
【０００４】
スリーエムカンパニー社（3M Company）は、よく知られた区分マット製品ラインを有している。厚さ、マット密度、材料、マット区分寸法など、多様な物理的特性を有する種々のノーマッド（NOMAD）（商標）床マットが入手可能である。これらのマットはインターロックするように構成されており、種々の形状および寸法でのマット敷設を提供している。ある据付デザインにおいては、マットは床のくぼんだ穴の中に配置され、その結果、マットの頂面は地面とほぼ同じ高さとなる。くぼんだ穴のない別の据付デザインにおいては、使用者がマットの縁部上でつまずく可能性を減じるために、テーパ付きまたは勾配付きの縁取り材が、マットの外辺部の周りに配置される。縁取り材は一般に、マットに接着剤で接着され、マットと縁取り材が分離しないようになっている。典型的には、マットまたは縁取り材のいずれかが摩耗または損傷すると、縁取り材とマット区分の双方が交換される。
【０００５】
本発明は、区分マット敷設を用いることに伴う利益を増加させる床マットシステムを提供する。
【特許文献１】欧州共同体意匠登録第００００５０６３８号
【発明の開示】
【課題を解決するための手段】
【０００６】
本開示の一態様は、様々な寸法の床マットをより小さな床マットから作製することを可能にする区分床マットシステムに関する。縁取り区分または部品は、床マットと取外し可能に係合して、マットの縁部でのつまずきを抑制する。
【０００７】
本開示の床マットシステムの例示的な実施形態は、少なくとも１枚のマットと、その少なくとも１枚のマットの側縁部のうちの少なくとも１つにおいて境界を画するのに十分な縁取り材とを備えた区分システムである。多くの実施形態において、複数のマットが存在し且つ互いに連結されているとき、少なくとも１枚のマットのすべての側縁部の境界を画すのに十分な縁取り材がある。
【０００８】
ある特定の態様において、本開示は、マットに取外し可能に取り付けるための外辺部区分であって、変動する厚さを持つ移行部分と、マットと取外し可能に係合するように構成された係合要素を備える係合部分とを有する外辺部区分に関する。
【０００９】
本開示はまた、少なくとも１個の縁部を有する主要区分と、外辺部区分が変動する厚さを有し、外辺区分の少なくとも１個の縁部に隣接して取外し可能に係合した外辺区分とを有するマットであって、外辺部区分の厚さは、少なくとも１個の縁部に隣接するマット厚さと実質的に同じであり、外辺部区分は、外辺部区分が主要区分の縁部から外向きに延びるときに減少する厚さを有する部分を有する、マットに関する。
【００１０】
あるマットシステムが本開示に含まれ、そのマットシステムは、少なくとも１枚のマットと、そのマットに取外し可能に取り付けられる少なくとも１個の外辺部または縁取り区分との組合わせ体である。さらに具体的なある実施形態において、そのマットシステムは、側縁部を有する少なくとも１枚の床マットであって、その側縁部は第１の係合要素を有るマットと、変動する厚さを持つ移行部分と係合部分とを有する縁取り区分はであって、その係合部分は第２の係合要素を備え、その第２の係合要素は第１の係合要素と取外し可能に係合するように構成されている、縁取り区分とを有している。この床マットと外辺部区分は、同じかまたは類似の表面パターンを有していてもよい。このマットシステムは複数のマットを有していてもよく、それらのマットは好ましくはインターロック式である。このマットシステムはまた、少なくとも１個のコーナーピースを含んでいてもよい。
【００１１】
本開示はまた、側縁部を有するマットであって、その側縁部は第１の係合要素を有するマットと、床マットの側縁部に当接するように構成された縁取り区分であって、縁取り区分は変動する厚さを持つ移行部分と係合部分とを有し、その係合部分は第１の係合要素と取外し可能に係合するように構成された第２の係合要素を備える、縁取り区分との組合わせ体に関する。縁取り部品の端縁部に当接するように構成されたコーナーピースを前記組み合わせ体にさらに追加することができ、そのコーナーピースは、移行部分と係合部分とを有している。
【００１２】
あるキットがまた本開示に含まれ、そのキットは、ある厚さと少なくとも１個の縁部とを有するマット区分と、その少なくとも１個の縁部に隣接して取外し可能に係合することが可能な外辺部区分であって、変動する厚さを有する外辺部区分とを備え、その外辺部区分の厚さは、少なくとも１個の縁部に隣接するマット厚さと実質的に同じであり、外辺部区分の厚さは、外辺部区分がマット区分の縁部から外向きに延びるにつれて減少する。
【００１３】
モジュール式マットは、ある厚さと少なくとも１個の縁部とを有するマット区分を用意するステップと、外辺部区分は変動する厚さを有し、前記少なくとも１個の縁部に隣接して前記外辺部区分を取外し可能に取り付けるステップとによって組み立てることができ、外辺部区分の厚さは、少なくとも１個の縁部に隣接するマット厚さと実質的に同じであり、外辺部区分の厚さは、外辺部区分が主要区分の縁部から外向きに延びるときに減少する。
【００１４】
これらのおよびその他の実施形態ならびに態様は、本発明の範疇に含まれる。
【発明を実施するための最良の形態】
【００１５】
図を参照すると、本発明による床マットの縁取りの種々の実施形態が示されている。図１に、複数の床マットと複数の縁取り材とから構成される床マットシステムが、全体として１０で示されている。システム１０は、複数の床マット２０（具体的には４枚の床マット２０）と、その複数の床マット２０と外接する縁取りシステム１５とから構成されている。この実施形態において、縁取りシステム１５は、複数の側方縁取り区分５０（それらのうちの３つが個々に５０Ａ、５０Ｂ、５０Ｃとして示されている）を有しており、これらの側方縁取り区分５０について以下で詳細に説明することにする。
【００１６】
図２は、マット２０を拡大したものを示している。マット２０は、第１の側縁部２２と、第２の側縁部２４と、第３の側縁部２６と、第４の側縁部２８とを有している。マット２０は、マットを配置する地面、床、または他の表面と接触する底面と、その底部表面とは反対側の歩行するための頂面とを有している。マット２０は、その頂面上にパターン２５を含んでおり、パターン２５は、マット２０を貫いて底面へと延びていてもよい。パターン２５は、周りで移動されるよりもむしろ保持されるべき水、埃、および他の物質の保持を容易にするように構成されている。この具体的な実施形態において、パターン２５は、マット２０を貫いて頂面から底面へと延びる通路または空隙から構成されている。そのようなマット２０の一例が、スリーエムイノベイティブプロパティズカンパニー社（3M Innovative Properties Company）を出願人とする登録共同体意匠第００００５０６３８に示されている。
【００１７】
マット２０は、複数のマット２０を互いに連結するのを容易にするために、複数の係合要素を含んでいる。図１を参照すると、４枚のマット２０が互いに連結されている。マット２０の側縁部２２、２４、２６、２８は、取外し可能に係合するように適合された第１および第２の係合要素を備えている。第１および第２の係合要素は、「フック」および「レセプタクル」、「雄部」および「雌部」、または他の係合要素として呼ばれることもある。マット２０は、側縁部２６および２８から外に延びるフック要素３０、３０’と、側縁部２２および２４内の受け部３５、３５’とを備えている。フック要素３０、３０’は、受け部３５、３５’と係合する。具体的には、側縁部２２は受け部３５を含み、側縁部２４は受け部３５’を含み、側縁部２６はフック要素３０を含み、側縁部２８はフック要素３０’を備えている。別の構成において、マットのいくつかまたはすべての側縁部が、フック要素と受け部の双方を含んでいてもよく、例えば、一方の側部は３個のフック要素と２個の受け部を含んでいてもよく、もう一方の側部は２個のフック要素と３個の受け部とを含んでいてもよい。
【００１８】
側部２８に関連するフック要素３０’は、側縁部２６に関連するフック要素３０に直交している。つまり、側縁部２８を端から端まで見ると、フック要素３０’は、それらが側縁部２８から外に延びるときに右から左に延びているのに対して、フック要素３０は、それらが側縁部２６から外に延びるときに左から右に延びている。同様にして、側縁部２４に関連する受け部３５’は、側縁部２２に関連する受け部３５に直交している。つまり、側縁部２４を端から端まで見ると、受け部３５’は、それらがマット２０の中心から側縁部２４に接近するときに右から左に延びているのに対して、受け部３５は、マット２０の中心から側縁部２２に接近するときに左から右に延びている。フック要素３０、３０’および受け部３５、３５’は、したがって、適切に構成された受け部３５、３５’を利用してフック要素３０、３０’と係合させることが可能となるように構成されている。
【００１９】
本発明は、マット（１枚または複数枚）２０と少なくとも部分的に外接する縁取りシステム１５を提供する。個々の縁取り区分５０は、縁取り区分５０をマット２０に取外し可能に保持するための、マット２０の係合要素と対応している。縁取り区分５０は、縁取り区分５０を配置する地面、床または他の表面からマット２０の頂部への進行を容易にする傾斜付きのまたは角度付きの表面を有する移行部分６０を含んでおり、移行部分６０は、マット２０の頂部の下の表面からマット２０の頂部への傾斜路である。移行部分６０は、縁取り区分５０のうちの、マット２０と外接する部分であり、図１に示されている部分である。移行部分６０は、第１の端部６２と、第１の端部６２の反対側の第２の端部６４とを有している。縁取り区分５０の長さは、端部６２と端部６４との間の距離である。移行部分６０はまた、外縁部６６を有している。縁取り区分５０はまた、取付け部分５２を備えており、この取付け部分５２は好ましくは、パターン２５を有する表面を備えている。取付け部分５２は、接着剤を用いずにマット２０と係合するための、適切な係合要素を含んでいる。
【００２０】
図３を詳細に参照すると、縁取り区分５０の第１の実施形態が、縁取り区分５０Ａとして示されている。縁取り区分５０Ａは、マット２０の側縁部２２と係合するように構成されている。側縁部２２は、受け部３５を備える。縁取り区分５０Ａの取付け部分５２は、縁取り区分５０Ａを側縁部２２に係合させるために、少なくとも１個の、好ましくは側縁部２２上の受け部３５と同じ数のフック要素４０を有している。この具体的な実施形態において、側縁部２２は、３個の受け部３５を有しており、縁取り区分５０Ａは、受け部３５と取外し可能に係合するように構成された３個のフック要素４０を備えているが、理解されたいこととして、より多くのまたはより少ない受け部３５およびフック要素４０が存在してもよい。縁取り区分５０Ａはまた、図６にも示されている。
【００２１】
ここで図４を参照すると、縁取り区分５０の第２の実施形態が、縁取り区分５０Ｂとして示されている。縁取り区分５０Ｂは、マット２０の側縁部２６と係合するように構成されている。側縁部２６は、フック要素３０を備えている。縁取り区分５０Ｂの取付け部分５６は、縁取り区分５０Ｂを側縁部２６に係合させるために、少なくとも１個の、好ましくは側縁部２６上のフック要素３０と同じ数の受け部４５を有している。この具体的な実施形態において、側縁部２６は、３個のフック要素３０を有しており、縁取り区分５０Ｂは、フック要素３０と取外し可能に係合するように構成された３個の受け部４５を備えているが、理解されたいこととして、より多くのまたはより少ない受け部４５およびフック要素３０が存在してもよい。
【００２２】
図示されていないが、縁取り区分５０のさらなる２つの実施形態が、マット２０の側縁部２４および側縁部２８との係合のために使用される。縁取り区分５０Ａと類似しているが、フック要素４０に対して直角に向きを変えたフック要素を有する縁取り区分が、受け部３５’を有する側縁部２４と係合する。同様に、縁取り区分５０Ｂと類似しているが、受け部４５に対して直角に向きを変えた受け部を有する縁取り区分が、フック要素３０’を有する側縁部２８と係合する。
【００２３】
縁取り区分５０Ａ、５０Ｂはそれぞれ、マット２０の対応する側縁部と係合するための、３個の係合要素を有している。少なくとも１個、好ましくは少なくとも２個の係合要素が存在するべきであり、より好ましくは、縁取り区分５０とマット２０との間の係合要素の数は同じである。一般に、マット２０のフック要素３０、３０’の数は、縁取り区分５０上の受け部４５の数を超えるべきではなく、また、縁取り区分５０上のフック要素４０の数は、マット２０上の受け部３５、３５’の数を超えるべきではない。
【００２４】
縁取り区分５０Ａ、５０Ｂなどの縁取り区分５０は、隣接する縁取り区分５０を互いに連結するために、端部６２、６４に係合要素を含んでいる。例えば、側縁部６４における縁取り区分５０Ａは、側縁部６２における縁取り区分５０Ｂに取外し可能に取り付けられるように構成されている。縁取り区分５０Ａ、５０Ｂの双方に対し、第１の側部６２は、受け部３５”を含んでおり、第２の側部６４は、フック要素３０”を含んでいる。１個以上の受け部３５”またはフック要素３０”が、側部６２、６４に存在してもよい。
【００２５】
縁取り区分５０は、外辺部１５の一部分をマット（１枚または複数枚）２０の周りに形成している。縁取り区分５０はしかしながら、マット２０の側縁部２２、２４、２６、２８に対する配置のために構成されている。縁取り区分５０Ａ、５０Ｂなどの縁取り区分５０の各々は、側縁部６２から側縁部６４までの長さが、マット２０の幅、具体的にはその縁取り区分が係合する側縁部の長さと概ね同じである。縁取り区分５０は一般に、マット２０の幅を越えて延びることはない。外辺部１５をマット（１枚または複数枚）２０の周りに設けるために、コーナーピース１７が備えられる。
【００２６】
コーナーピース１７は、縁取り区分５０が延びていない、マット（１枚または複数枚）２０の周りの外辺部を埋める９０度のアングルピースである。コーナーピース１７は図５に示されている。
【００２７】
コーナーピース１７は、縁取り区分５０の移行部分６０と類似した移行部分６０’を含んでおり、この移行部分６０’は、コーナーピース１７を配置する地面または床からマット２０の頂部までの進行を容易にする傾斜付きのまたは角度付きの表面を有している。移行部分６０’は、第１の端部６２’と、第１の端部６２’の反対側の第２の端部６４’とを有している。第１の端部６２’は、縁取り区分５０の第２の端部６４に当接し取り付けられるように構成されており、第２の端部６４は、縁取り区分５０の第１の端部６２に当接し取り付けられるように構成されている。移行部分６０’はまた、外縁部６６’を有している。コーナーピース１７は好ましくは、パターン２５を有する表面を備える。
【００２８】
コーナーピース１７は、コーナーピース１７を隣接する縁取り区分５０に連結するための係合要素をその上に含んでいる。コーナーピース１７は、マット２０と係合するための適切な係合要素を含んでいる。この実施形態において、第１の端部６２’には、縁取り区分５０の第２の端部６４上のフック要素３０”と取外し可能に係合するための受け部３５”が近接しており、第２の端部６４’には、縁取り区分５０の第１の端部６２上の受け部３５”と取外し可能に係合するためのフック要素３０”が近接している。１個以上の受け部３５”またはフック要素３０"が、端部６２’、６４’上に存在してもよい。
【００２９】
使用時には、縁取り区分５０およびコーナーピース１７は、マット２０、多くの場合は複数のマット２０と連結して、マットシステムを形成する。全体として、縁取り区分５０の外縁部６６とコーナーピース１７の外縁部６６’は、外辺部１５の最も外側の縁部を形成し、移行部分６０、６０’は好ましくは、上向きに外辺部１５からマット（１枚または複数枚）２０の頂面までの勾配付きのまたは傾斜付きの表面を形成している。移行部分６０、６０’は、傾斜付きの縁部または面取り部を有する勾配付き部分として示されてきたが、移行部分６０、６０’は、隅肉部などのように湾曲しているかまたは弧をなしていても、段付きとなっていても、リブ付きとなっていてもよい。図６において、移行部分６０は、表面上における滑り止め性を高めるために、テクスチャ表面を備える。
【００３０】
マットシステムは、マット（１枚または複数枚）２０と、縁取り区分５０と、コーナーピース１７とを含んでいる。適切な個数の縁取り区分５０と４個のコーナー１７が、矩形の外辺部１５をマット（１枚または複数枚）２０の周りに形成している。例えば、図１において、８個の縁取り区分５０と４個のコーナー１７によって囲まれた４枚のマット２０が示されている。マット２０を１個のみ使用する場合でも、４個の縁取り区分５０と４個のコーナー１７が、マット２０を囲むために使用されることになる。いくつかの据付においては、マット（１枚または複数枚）２０のすべての側部を縁取りしないことが望まれる場合もあり、例えば、マット２０は、１つの壁と当接するように配置することができ、したがって、３つの側縁部のみが、縁取り区分５０をその上に有することになる。そのような実施形態においては、おそらくは２個のみのコーナーピース１７が使用されることになる。
【００３１】
フック要素３０、３０’と受け部３５、３５’とを有する図２のマット２０を囲むためのマットシステムは、５種類の異なる部品を、すなわち、縁取り区分５０Ａと、縁取り区分５０Ｂと、部品５０Ａと類似するが直交する縁取り区分と、部品５０Ｂと類似するが直交する縁取り区分と、４個のコーナー１７とを含むことになる。マット上の係合要素（例えばフック要素３０、３０’および受け部３５、３５’）が異なる場合、縁取り区分も同様に異なるものになる。例えば、マットシステムは、３種類の異なる部品を、すなわち縁取り区分５０Ａと、縁取り区分５０Ｂと、４個のコーナー１７とを有することができる。
【００３２】
縁取り区分５０は、それらを取り付けるマット２０の幅と同じ長さを有するものとして示してきたが、縁取り区分５０は、１枚を超えるマットと係合するように、より長いものであってもよく、また、１枚未満のマットと係合するように、より短いものであってもよい。例えば、１個の縁取り区分は、３枚の隣接するマットと係合して、例えばマットシステムの側縁部全体に延びるように構成されてもよい。
【００３３】
縁取り区分５０、コーナーピース１７、および他の実施形態は、ポリマー（プラスチック）、金属、木材、複合材、粘土などを含めて、任意の好適な材料から作ることができる。しかしながら、最も好ましいのは、ポリマー材料である。２つ以上の材料が縁取り区分５０またはコーナーピース１７内に存在するようにすると望ましい場合もある。
【００３４】
縁取り区分５０またはコーナーピース１７は、一体の部品であっても、複数の部品から組み立てられていてもよい。ポリマー製の一体の部品は、通常の技法を用いて容易に射出成型することができる。他の成型および押出し技法もまた、用いることができる。
【００３５】
しかしながら、理解されたいこととして、本開示のマットシステムおよび縁取り区分の多数の固有の特徴および要素について説明してきたが、他の実施形態も本発明の範疇に含まれる。例えば、上述した縁取り区分５０Ａ、５０Ｂは、単列のパターン２５を有している。別の実施形態は、１列を超えるパターンを有することができ、また、マット２０に相当するかなりの量のパターン２５を有することができる。そのような実施形態は、移行部分６０が永久的に取り付けられたマット２０として説明することができる。
【００３６】
さらには、例えば、上記の説明は、正方形のマット２０を用いてなされてきたものである。他の形状のマットもまた本発明に従うことは理解されたい。形状の例には、長方形、平行四辺形、菱形、六角形、三角形、および他の多角形（蝶ネクタイ形、Ｌ字型、またはＵ字型など不規則な多角形を含む）が挙げられる。マットは、湾曲した表面を有していてもよい。それに加えてまたはそれに代わって、結果として得られるマットシステムは、正方形、長方形、平行四辺形、菱形、六角形、三角形、および他の多角形（不規則な多角形を含む）など、いかなる形状をも有することができる。円形または弧状の形状も可能である。コーナーを有するマットシステムの場合、縁取り区分の端部は、望ましいコーナー角を形成するように、適切に角度を付けられるかないしは別の方法で形作られる。任意の角度の入隅が企図される。移行部分６０の高さは、一般に縁取り区分５０の高さを規定するものであり、縁取り区分５０と同じ表面にマットを配置する据付などに対しては、マット２０の厚さとすることができる。あるいは、マットは部分的にくぼんで穴または凹部となっていてもよく、したがって、縁取り区分５０はマットの全厚である必要はない。マット２０を用いて作製できるマットシステムと他の実施形態、ならびに縁部区分５０と他の実施形態は、無数にある。種々の形状、寸法、色、テクスチャ、材料などを共に使用して、マットシステムを作製することができる。これらの変型および他の変型は、本発明の範疇に含まれる。
【００３７】
説明および図を含む前述の開示は、本開示の構造および機能の詳細と共に、単に例示のためのものであり、また、添付の特許請求の範囲を表現する用語の一般的な広義の意味によって示唆される最大限の程度で、特に本開示の原理に含まれる部品の形状、寸法および配置の点において、変更が詳細になされうる。
【図面の簡単な説明】
【００３８】
【図１】複数の床マットと縁取り区分とで組み立てられた床マットシステムの斜視図。
【図２】本発明の縁取り区分と共に使用するのに好適な床マットの平面図。
【図３】床マットの第１の側部と係合するように構成された縁取り区分の第１の実施形態の上面図。
【図４】床マットの第２の側部と係合するように構成された縁取り区分の第２の実施形態の上面図。
【図５】床マットと係合するように構成されたコーナー縁取り区分の上面図。
【図６】図３の縁取り区分の側面図。
【図１】
2010518882.tif 000003
【図２】
2010518882.tif 000004
【図３】
2010518882.tif 000005
【図４】
2010518882.tif 000006
【図５】
2010518882.tif 000007
【図６】
2010518882.tif 000008
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
第１の係合要素が具備される側縁部を有する少なくとも１枚の床マットと、
変動する厚さを持つ移行部分と係合部分とを有する縁取り区分であって、前記係合部分は第２の係合要素を備え、前記第２の係合要素は前記第１の係合要素と取外し可能に係合するように構成されている、縁取り区分と、を備える床マットシステム。
【請求項２】
マットに使われる外辺部区分であって、前記外辺部区分は前記マットと隣接して取外し可能に係合することが可能であり、
前記外辺部区分は、変動する厚さを有する移行部分と、係合部分とを有し、前記係合部分は前記マットに取外し可能に係合するように構成された係合要素を備えて、構成される外辺部区分。
【請求項３】
ある厚さと少なくとも１個の縁部とを有するマット区分と、
前記少なくとも１個の縁部に隣接して取外し可能に係合することが可能な外辺部区分であって、変動する厚さを有する外辺部区分と、を含むキットであって、
前記外辺部区分の厚さは、前記少なくとも１個の縁部に隣接するマット厚さと実質的に同じであり、前記外辺部区分の厚さは、前記外辺部区分が前記マット区分の縁部から外向きに延びるにつれて減少する、キット。
【国際調査報告】
2010518882.tif 000009
2010518882.tif 000010